(57)【要約】      （修正有）【課題】絶縁性エンクロージャを開放せずに、コネクタの圧着、標識を検査可能とする。【解決手段】  電気コネクタを収容し得るよう第一の区画室及び同一の第二の区画室から形成されたエンクロージャである。区画室の各々は、第一の壁と、第二の壁と、端部とにより画成された主本体を有している。区画室の各々の第一の壁は、内方に伸びる少なくとも１つの突起を有する外側タブと、該外側タブに隣接する位置に配置された内側タブとを備えている。区画室の各々の第二の壁は１つの開口を有している。区画室がエンクロージャを形成し得るよう互いに取り付けられたとき、第一の区画室の第一の壁の突起は、第二の区画室の第二の壁の開口内に配置され、第二の区画室の第一の壁の突起は、第一の区画室の第二の壁の開口内に配置される。エンクロージャはまた、コネクタを特定し得るようにエンクロージャ内に配置されたラベル及びラベルカバーも有している。【選択図】  図２
2004327434.tif 000002
【特許請求の範囲】
【請求項１】
電気コネクタ用のエンクロージャにおいて、
第一の壁と、第二の壁と、端部とにより画成された主本体を有する第一の区画室であって、該第一の壁が、少なくとも１つの突起が内方に伸びる外側タブと、該外側タブに隣接する内側タブとを有し、前記第二の壁が貫通する開口を有する前記第一の区画室と、
第一の壁と、第二の壁と、端部とにより画成された主本体を有する、該第一の区画室と同一の第二の区画室であって、該第一の壁が、少なくとも１つの突起が内方に伸びる外側タブと、該外側タブに隣接する内側タブとを有し、前記第二の壁が貫通する開口を有する前記第二の区画室とを備え、
前記第一の区画室又は前記第二の区画室の一方が、該第一の区画室又は該第二の区画室の他方に取り付けられ、該第一の区画室の前記第一の壁の少なくとも１つの突起が、前記第二の区画室の前記第二の壁の前記開口内に配置され、該第二の区画室の前記第一の壁の少なくとも１つの突起が、該第一の区画室の前記第二の壁の前記開口内に配置され、もって、電気コネクタが前記第一の区画室と前記第二の区画室との間に配置されるようにしたことを特徴とする電気コネクタ用のエンクロージャ。
【請求項２】
前記第一の区画室及び前記第二の区画室の前記端部から伸びて、電気コネクタに接続されたケーブルを保持する角度に配置された複数の指状体を更に備える請求項１に記載のエンクロージャ。
【請求項３】
電気コネクタを固着し得るように前記第一の区画室の前記主本体及び前記第二の区画室の前記主本体を亙って伸びる少なくとも１つのフランジを更に備える請求項１に記載の電気コネクタ用のエンクロージャ。
【請求項４】
電気コネクタを固着し得るように前記第一の区画室の前記主本体及び前記第二の区画室の前記主本体を亙って伸びる１対の保持フランジを更に備える請求項１に記載の電気コネクタ用のエンクロージャ。
【請求項５】
前記第一の区画室と前記第二の区画室が透明である請求項１に記載の電気コネクタ用のエンクロージャ。
【請求項６】
電気コネクタ用の透明なエンクロージャにおいて、
第一の壁と、第二の壁と、端部とにより画成された主本体を有する第一の区画室であって、該主本体が、主本体を亙って伸びる少なくとも１つのフランジと、該主本体にてフランジ近くに配置された少なくとも１つのリッジとを有し、該フランジ及び該リッジが１つの空所を画成する前記第一の区画室と、
該第一の区画室に取り付け得るようにされた第二の区画室であって、第一の壁と、第二の壁と、端部とにより画成された主本体を有し、該主本体が、主本体を亙って伸びる少なくとも１つのフランジと、主本体にて該フランジ近くに配置された少なくとも１つのリッジとを有し、前記フランジ及び前記リッジが１つの空所を画成する前記第二の区画室と、
識別標識を提供し得るよう空所の１つに配置された少なくとも１つのラベルと、該ラベル及び識別標識を保護し得るように空所内で該ラベル上に配置される少なくとも１つのカバーとを備え、
前記第二の区画室が、前記フランジが整合されてその間で電気コネクタを固着し得るように前記第一の区画室に取り付けられるようにしたことを特徴とする電気コネクタ用の透明なエンクロージャ。
【請求項７】
カバーが、該カバーを主本体に固着する複数の凹部を有する、請求項６に記載の電気コネクタ用の透明なエンクロージャ。
【請求項８】
電気コネクタ用のエンクロージャにおいて、
第一の壁と、第二の壁と、端部とにより画成された主本体を有する第一の区画室であって、前記主本体が、ケーブルタイを受け入れる少なくとも１つの位置決めスロットと、該ケーブルタイのヘッド部を受け入れる少なくとも１つの凹所とを有する前記第一の区画室と、
前記第一の区画室に取り付け得るようにされた第二の区画室であって、第一の壁と、第二の壁と、端部とにより画成された主本体を有し、該主本体が、ケーブルタイを受け入れる少なくとも１つの位置決めスロットと、該ケーブルタイのヘッド部を受け入れる少なくとも１つの凹所とを有する前記第二の区画室とを備え、
前記位置決めスロットが整合されて前記ケーブルタイがエンクロージャの周りに巻きついてその内部に電気コネクタを固着することを可能にし得るように前記第二の区画室が前記第一の区画室に取り付けられるようにしたことを特徴とする電気コネクタ用のエンクロージャ。
【請求項９】
前記第一の区画室の前記主本体及び前記第二の区画室の前記主本体が、前記ケーブルタイを前記スロット内に維持する少なくとも１つの張出し部を更に備える請求項８に記載の電気コネクタ用のエンクロージャ。
【発明の詳細な説明】
【技術分野】
【０００１】
本発明は、絶縁性エンクロージャ、より具体的には、電気タップ又はスプライスコネクタ用の透明な絶縁性エンクロージャ、及び関連するラベルカバーに関する。
【背景技術】
【０００２】
タップ又はスプライスを保護し且つ、絶縁する従来のタップ又はスプライスカバーは、黒色であるすなわち着色されており、このため、不透明であり、閉じたとき、接続部を見ることはできない。
【発明の開示】
【発明が解決しようとする課題】
【０００３】
接続部に問題があることが疑われるならば、検査目的のため、カバーを除去しなければならない。除去過程の間、接続部が損傷する可能性がある。この型式の検査は、特に、特定の回路内に多数のコネクタがあるならば、極めて時間を消費する可能性がある。また、カバーを除去したとき、回路が励起状態にあるとき、これらの検査を行うことは危険を招く可能性がある。
【０００４】
このように、設置後にタップ又はスプライスを検査することを許容することが有益である。本発明のカバーは、また、タップ又はスプライス接続部に対するラベル貼り及び識別保護を改良することを可能にする。
【課題を解決するための手段】
【０００５】
本発明は、電気コネクタ用の透明なエンクロージャを対象とする。該エンクロージャは、第一の区画室と、同一の第二の区画室とを有する。区画室の各々は、第一の壁と、第二の壁と、端部とにより画成された主本体を有している。各区画室の第一の壁は、少なくとも１つの突起が内方に伸びる外側タブと、該外側タブに隣接して配置された内側タブとを有している。各区画室の第二の壁は、貫通する開口を有している。区画室の１つが他の区画室に取り付けられたとき、各第一の壁の突起は、各第二の壁の開口内に配置され、区画室を互いに固着してエンクロージャを形成し得るようにする。電気コネクタが第一の区画室と第二の区画室との間に配置され、区画室が互いに固着されたとき、電気コネクタが区画室の間に固着されるようにする。
【発明を実施するための最良の形態】
【０００６】
図１及び図２に示した設計は、本発明の１つの好ましい実施の形態による電気コネクタ９０に対する透明な絶縁性エンクロージャ１０を開示する。
エンクロージャ１０は、２つの別個の同一の半体すなわち区画室１２ａ、１２ｂから成っている。半体すなわち区画室１２ａ、１２ｂの各々は、第一の壁１６ａ、１６ｂ、第二の壁１８ａ、１８ｂ及び端部２０ａ、２０ｂにより画成された主本体１４ａ、１４ｂを有している。エンクロージャ半体１２ａ、１２ｂの各々の第一の壁１６ａ、１６ｂ及び第二の壁１８ａ、１８ｂは、新規な掛止めシステムによって互いにスナップ嵌めして、絶縁性エンクロージャを形成する。
【０００７】
掛止めシステムの第一の壁１６ａ、１６ｂは、２つの突起２４ａ、２４ｂを有する主外側タブ２２ａ、２２ｂと、他方のエンクロージャ半体の第二の壁１８ａ、１８ｂをエンクロージャの内部から支持し且つ固着する２つの内側タブ２８ａ、２８ｂとを備えている。これら２つの内側タブ２８ａ、２８ｂは、側部３０ａ、３０ｂと、組み立てのため双方のエンクロージャ半体を相互に位置決めすることを容易にする端部３２ａ、３２ｂの導入面取り加工部とを有している。主外側タブ２２ａ、２２ｂは、また、エンクロージャに対するフラッシュオーバ障壁として機能する伸長した端部２６ａ、２６ｂも有している。
【０００８】
エンクロージャ半体１２ａ、１２ｂを共に押し付けた時、第二の壁１８ａ、１８ｂは、第一の壁１６ａ、１６ｂの内側タブ２８ａ、２８ｂと外側タブ２２ａ、２２ｂの間に取り込まれた状態となる。エンクロージャ半体の各々の第二の壁１８ａ、１８ｂは、壁のほぼ中間の高さから壁の最上部３６ａ、３６ｂまで伸びる開口３４ａ、３４ｂを有している。エンクロージャ半体が互いに押し付けられたとき、主外側タブ２２ａ、２２ｂの内側における突起２４ａ、２４ｂは、他方のエンクロージャ半体の第二の壁１８ａ、１８ｂの開口３４ａ、３４ｂ内にスナップ嵌めし、エンクロージャを閉じた位置に係止する。
【０００９】
必要であるならば、エンクロージャは、主外側タブ２２ａ、２２ｂの内側に配置された突起２４ａ、２４ｂの間に凹型のねじ回し又は同様の工具を差し込んで、エンクロージャ半体を互いからこじ開けることができる。
【００１０】
エンクロージャ半体は、エンクロージャ半体を亙って伸びる内側フランジ４０ａ、４０ｂを有している。内側フランジ４０ａ、４０ｂは、電気コネクタに対するストッパとして機能し、コネクタが絶縁性エンクロージャから引き出されるのを防止する。フランジ４０ａ、４０ｂは、コネクタ内に圧着された電気ケーブルを受け入れるＣ字形の中間部分４２ａ、４２ｂを有している。
【００１１】
その間に空所４８ａ、４８ｂを形成し得るように、フランジ４０ａ、４０ｂの外側にて、主本体１４ａ、１４ｂの各々にリッジ４４ａ、４４ｂが配置されている。空所４８ａ、４８ｂは、ラベル又はタグ５０及びラベルカバー５２を受け入れる。接続が完了し且つ、エンクロージャがコネクタ上で互いにスナップ嵌めされた後、ラベルの情報を妨害するのを防止するためラベルをエンクロージャの内部に配置することが重要である。ラベルを内部に配置することによる更なる有利な効果は、ラベルカバー及びラベルを誤って取り外し又は剥ぎ取り且つ、失うことがない点である。
【００１２】
ラベルカバー５２は、ラベルカバーの両側部に配置された凹所５４を有している。凹所５４は、エンクロージャの壁に係合し、これにより、ラベルカバー５２を何れかの側部が外方に向いた状態で挿入することを許容する。
【００１３】
ラベルカバー５２の各側部は、ラベルカバー５２を別個のラベルの支持体として使用することを許容する艶消し仕上げが施されている。ラベルがないならば、ラベルカバーの艶消し面上に直接、情報を書き込むことができる。
【００１４】
ラベル５０の除去を容易にするため、こじ開け工具を挿入すべく各リッジ４４ａ、４４ｂの間に開口部４６ａ、４６ｂが設けられている。
絶縁性エンクロージャの端部２０ａ、２０ｂは、エンクロージャの分割面に対し狭小な角度でエンクロージャの主本体１４ａ、１４ｂの各々から外方に伸びる多数の狭小な指状体６０ａ、６０ｂを有している。かかる角度は、拘束点を最小にし、その他のケーブル長さをエンクロージャの隣接する位置まで引張ることを許容する。指状体６０ａ、６０ｂは互いに対し平行であり、その先端６２ａ、６２ｂに向けて僅かだけ狭小となる。指状体の先端の下側部は、小さい平坦部分６４ａ、６４ｂを有しており、これら平坦部は、先端が電気ケーブルの絶縁部内に「挟み込まれ」又は「喰い込む」のを防止する。指状体の外縁部６６ａ、６６ｂは、施工作業員の手を傷付けるのを防止し得るように丸味が付けられている。指状体は、十分に可撓性で且つ弾性的であり、ケーブルに正確に順応し且つ、施工作業員の指又は工具のような異物がエンクロージャに侵入し且つ、その内部に配置されたコネクタに接触するのを防止する。可撓性の程度は、特定の接続部にて使用したケーブルの寸法に依存する。このように、絶縁性エンクロージャは、広範囲のケーブル寸法と共に使用する設計とされている。
【００１５】
挿入したケーブルにより押し拡げられる指状体は、撓んで離れる一方、ケーブルと接触していない他の指状体は、互いに近接したままであり且つ、工具又は施工作業員の指が励起される接続部内に誤って挿入されるのを防止する。
【００１６】
指状体は、かなり丈夫で且つ弾性的であるから、接続されたケーブルを十分に保持し且つ、絶縁性ケーブルが僅かに動いたときのがたつき音の発生を防止する。
エンクロージャは、電気コネクタの周りにそれ自体の造作構造部及び強度によって固着されたままである。しかし、所望であるならば、更なる確実さが得られるように、ケーブルタイ又はワックス塗布コードを使用することができる。
【００１７】
絶縁性エンクロージャの半体１２ａ、１２ｂの各々は外側の位置決めスロット７０ａ、７０ｂを有している。エンクロージャ半体１２ａ、１２ｂが互いに固着されたとき、位置決めスロットは、エンクロージャの周りに連続的なスロットを形成し得るように整合される。整合した位置決めスロットは、エンクロージャの周りに巻かれるケーブルタイ７６又はワックス塗布コードを受け入れ得るような設計とされている。エンクロージャは、又、スロット７０ａ、７０ｂの側部に配置されたケーブルタイのヘッド部７８、張出し部７４ａ、７４ｂ及びエンクロージャ半体の最上部を受け入れ得るように、スロット７０ａ、７０ｂに隣接する位置に配置された凹所７２ａ、７２ｂも有している。張出し部７４ａ、７４ｂは、ケーブルタイをエンクロージャの周りの位置決めスロット内に維持するのを助ける。
【００１８】
透明なエンクロージャは、絶縁性エンクロージャを開放せずに、コネクタの圧着の質及びコネクタの全ての標識の双方を検査することを許容する。
更に、絶縁性エンクロージャはエンクロージャがエンクロージャ内部のコネクタを見ることの邪魔とならないように指状体に成形した特定の識別情報を有することができる。
【００１９】
図３及び図４には、電気コネクタに対する透明な絶縁性エンクロージャの１つの代替的な実施の形態が示されている。上述した造作作用部に加えて、代替的な実施の形態は、エンクロージャの半体の各々に１対の保持フランジ８０ａ、８０ｂを組み込んでいる。対の保持フランジ８０ａ、８０ｂは、エンクロージャの長さの中間に配置されている。保持フランジ８０ａ、８０ｂは、ケーブル絶縁部の外面を越えて突き出さないコネクタに対するリテーナとして機能する。保持フランジ８０ａ、８０ｂがないならば、タップ型コネクタは、エンクロージャとケーブル絶縁部との間の摩擦によってのみ保持されよう。この型式の保持は確実ではない。中央保持フランジ８０ａ、８０ｂは、特定型式のタップコネクタに形成されたスロット内に侵入し、コネクタをエンクロージャの内部に確実に保持する。
【００２０】
更に、本発明の特定の好ましい実施の形態を示し且つ説明したが、当該技術分野の当業者には、本発明の教示内容から逸脱せずに変更及び改変を加えることが可能であることが明らかであろう。上記の説明及び添付図面に掲げた事項は、単に説明のためであり、限定的なものとして記載したものではない。本発明の実際の範囲は、従来技術に基づいてその妥当な観点から検討したとき、特許請求の範囲に規定されることを意図するものである。
【図面の簡単な説明】
【００２１】
【図１】その内部に電気コネクタが配置された本発明の透明な絶縁性エンクロージャの斜視図である。
【図２】図１の透明な絶縁性エンクロージャの分解図である。
【図３】１対のリブが主本体を亙って伸びる、図１の透明な絶縁性エンクロージャの１つの代替的な実施の形態の斜視図である。
【図４】その内部に電気コネクタが配置された図３の透明な絶縁性エンクロージャの側面図である。
【符号の説明】
【００２２】
１０    エンクロージャ
１２ａ、１２ｂ    区画室
１４ａ、１４ｂ    主本体
１６ａ、１６ｂ    第一の壁
１８ａ、１８ｂ    第二の壁
２０ａ、２０ｂ    端部
２２ａ、２２ｂ    主外側タブ
２４ａ、２４ｂ    突起
２６ａ、２６ｂ    端部
２８ａ、２８ｂ    内側タブ
３０ａ、３０ｂ    側部
３２ａ、３２ｂ    端部
３４ａ、３４ｂ    開口
３６ａ、３６ｂ    壁の最上部
４０ａ、４０ｂ    内側フランジ
４２ａ、４２ｂ    Ｃ字形の中間部分
４４ａ、４４ｂ    リッジ
４６ａ、４６ｂ    開口部
４８ａ、４８ｂ    空所
５０    ラベル
５２    ラベルカバー
５４    凹所
６０ａ、６０ｂ    指状体
６２ａ、６２ｂ    先端
６４ａ、６４ｂ    平坦部分
６６ａ、６６ｂ    指状体の外縁部
７０ａ、７０ｂ    位置決めスロット
７２ａ、７２ｂ    凹所
７４ａ、７４ｂ    張出し部
７６    ケーブルタイ
７８    ケーブルタイのヘッド部
９０    電気コネクタ
【図１】
2004327434.tif 000003
【図２】
2004327434.tif 000004
【図３】
2004327434.tif 000005
【図４】
2004327434.tif 000006
【手続補正書】
【提出日】平成16年6月8日(2004.6.8)
【手続補正１】
【補正対象書類名】図面
【補正対象項目名】全図
【補正方法】変更
【補正の内容】
【図１】
2004327434.tif 000007
【図２】
2004327434.tif 000008
【図３】
2004327434.tif 000009
【図４】
2004327434.tif 000010
【外国語明細書】
2004327434000001.pdf